(57)【特許請求の範囲】
【請求項１】
サッシ枠を伝う水を外壁から離れた位置に案内するための水切部材であって、
前記水を案内するための案内部及び前記外壁に当接される壁当接部を有する水切本体と、
前記水切本体に対して相対移動可能に設けられ、前記サッシ枠に当接される枠当接部を有する移動当接部材と、
前記水切本体を貫通して前記移動当接部材に係合され、操作されることにより前記水切本体と前記移動当接部材とを互いに反対方向に相対移動させて、前記壁当接部を前記外壁に、前記枠当接部を前記サッシ枠にそれぞれ当接させて前記外壁と前記サッシ枠との間に保持させるための操作部材と、
を備えたことを特徴とする水切部材。
【請求項２】
請求項１に記載の水切部材であって、
前記水切本体と前記移動当接部材とは、互いに対面する対面壁部を有し、
前記水切本体の前記対面壁部は、前記操作部材が貫通される貫通穴を有し、前記移動当接部材の前記対面壁部は、前記操作部材が係合される被係合部を有し、
前記操作部材は、前記貫通穴を貫通されて、前記水切本体の前記対面壁部より前記外壁側に配置された前記移動当接部材の前記対面壁部の被係合部に係合されていることを特徴とする水切部材。
【請求項３】
請求項１又は請求項２に記載の水切部材であって、
前記サッシ枠は、前記外壁より屋外側に突出された部位に、当該外壁側に向かって開放され前記外壁と対向する溝部を有し、
前記溝部に前記枠当接部が挿入されていることを特徴とする水切部材。
【請求項４】
請求項１乃至請求項３のいずれかに記載の水切部材であって、
前記操作部材は、見込み方向に沿って設けられ、屋外側からの操作されることを特徴とする水切部材。
【請求項５】
請求項１乃至請求項４のいずれかに記載の水切部材であって、
前記操作部材は、前記外壁の面内方向において、前記サッシ枠の外側に配置されていることを特徴とする水切部材。
【請求項６】
請求項１乃至請求項５のいずれかに記載の水切部材であって、
操作部材は、ねじであり、
前記被係合部は、前記ねじが螺合されるねじ穴であり、
前記ねじが回動するように当該ねじを操作することにより、前記水切本体と前記移動当接部材とが互いに反対方向に相対移動することを特徴とする水切部材。
【請求項７】
請求項１乃至請求項６のいずれかに記載の水切部材であって、
前記外壁と前記水切本体との間にはシーラントが介在されることを特徴とする水切部材。
【請求項８】
請求項１乃至請求項７のいずれかに記載の水切部材と、
前記サッシ枠とを有することを特徴とする建具。
【発明の詳細な説明】
【技術分野】
【０００１】
本発明は、サッシ枠を伝う水を外壁から離れた位置に案内するための水切部材、及び、この水切部材を備えた建具に関する。
【背景技術】
【０００２】
サッシ枠を伝う水を外壁から離れた位置に案内するための水切部材としては、下枠の下側に外壁表面より前方へ突設させて配設される水切部材が知られている（例えば、特許文献１参照）。このような水切部材は、外壁表面に当接される当接部にねじ孔が形成されており、ねじ孔に挿通されたねじにて外壁表面に固定されている。
【０００３】
また、サッシ枠に側面方向から水切部材をセルフタッピングねじにて固定するタイプや縦枠と下枠とを接合しているねじを一旦外し水切部材や水切部材の固定金具とともに再びねじを締め込んで水切部材を固定するタイプも知られている。
【特許文献１】特開２００４−３５３２９８号公報
【発明の開示】
【発明が解決しようとする課題】
【０００４】
しかしながら、水切部材がねじにより外壁表面に固定されていると、水切部材により案内される水の一部がねじを伝って外壁表面内に浸入し、外壁及びその内部に存在する躯体に損傷を与える畏れがあり、さらに、水切部材を取り付ける際には、外壁に対し加工が必要なため作業が煩雑である。
【０００５】
また、サッシ枠にセルフタッピングねじにて固定する場合には電気ドライバーが必要であり、施工箇所には電気ドライバーがセルフタッピングねじに届くように配置可能なスペースが確保できるという制約が生じる。そして、水切部材を縦枠及び下枠とともにねじで固定する場合には、縦枠と下枠とを接合しているねじを一旦外して再び接合しなくてはならず、またサッシ枠が既に取り付けられている場合には高所での作業を余儀なくされ、作業が繁雑であるとともに作業性が悪いという課題がある。
【０００６】
本発明は、かかる課題に鑑みてなされたものであり、その目的とするところは、サッシ枠に容易に取り付け可能な水切部材、及び、この水切部材を備えた建具を提供することにある。
【課題を解決するための手段】
【０００７】
かかる目的を達成するために本発明の水切部材は、サッシ枠を伝う水を外壁から離れた位置に案内するための水切部材であって、前記水を案内するための案内部及び前記外壁に当接される壁当接部を有する水切本体と、前記水切本体に対して相対移動可能に設けられ、前記サッシ枠に当接される枠当接部を有する移動当接部材と、前記水切本体を貫通して前記移動当接部材に係合され、操作されることにより前記水切本体と前記移動当接部材とを互いに反対方向に相対移動させて、前記壁当接部を前記外壁に、前記枠当接部を前記サッシ枠にそれぞれ当接させて前記外壁と前記サッシ枠との間に保持させるための操作部材と、を備えたことを特徴とする水切部材である。
【０００８】
このような水切部材によれば、水切本体と移動当接部材とは操作部材が操作されることにより互いに反対の方向に移動して、水切本体の壁当接部が外壁に、移動当接部材の枠当接部がサッシ枠にそれぞれ当接される。すなわち、水切本体と移動当接部材とは壁当接部と枠当接部との距離が広がる方向に移動されて、外壁及びサッシ枠に当接される。このため、壁当接部と枠当接部との距離が広がることにより、壁当接部が外壁を、また、枠当接部がサッシ枠をそれぞれ押圧して生じる押圧力により水切部材を外壁とサッシ枠との間に保持させることが可能である。このため、外壁及びサッシ枠には何ら加工を施すことなく水切部材を容易に取り付けることが可能である。また、操作部材を操作するだけで取り付けられるので、屋内側からであっても容易に取り付けることが可能である。
【０００９】
かかる水切部材であって、前記水切本体と前記移動当接部材とは、互いに対面する対面壁部を有し、前記水切本体の前記対面壁部は、前記操作部材が貫通される貫通穴を有し、前記移動当接部材の前記対面壁部は、前記操作部材が係合される被係合部を有し、前記操作部材は、前記貫通穴を貫通されて、前記水切本体の前記対面壁部より前記外壁側に配置された前記移動当接部材の前記対面壁部の被係合部に係合されていることが望ましい。  
このような水切部材によれば、水切本体の対面壁部より外壁側に配置された移動当接部材の対面壁部の被係合部に操作部材が係合されているので、操作部材を操作することにより水切本体と移動当接部材との対面壁部が互いに近接する方向、すなわち、水切本体を外壁に向かう方向に、移動当接部材をサッシ枠に向かう方向にそれぞれ相対移動させることが可能である。
【００１０】
かかる水切部材であって、前記サッシ枠は、前記外壁より屋外側に突出された部位に、当該外壁側に向かって開放され前記外壁と対向する溝部を有し、前記溝部に前記枠当接部が挿入されていることが望ましい。  
このような水切部材によれば、操作部材を操作して移動当接部材が相対移動する際に枠当接部が当接されるサッシ枠の突出した部位には、溝部が設けられて剛性が高められている。このため、壁当接部を外壁に、また、枠当接部をサッシ枠にそれぞれ大きな押圧力にて押圧させて水切部材を外壁とサッシ枠との間に確実に保持させることが可能である。
【００１１】
かかる水切部材であって、前記操作部材は、見込み方向に沿って設けられ、屋外側からの操作されることが望ましい。  
このような水切部材によれば、外壁に設けられたサッシ枠の屋外側は、開放されており、操作部材を屋外側から操作し易いので、容易に取り付けることが可能である。
【００１２】
かかる水切部材であって、前記操作部材は、前記外壁の面内方向において、前記サッシ枠の外側に配置されていることが望ましい。  
このような水切部材によれば、屋外側から見たときに操作部材が露出しているので、操作部材を容易に操作することが可能である。
【００１３】
かかる水切部材であって、操作部材は、ねじであり、前記被係合部は、前記ねじが螺合されるねじ穴であり、前記ねじが回動するように当該ねじを操作することにより、前記水切本体と前記移動当接部材とが互いに反対方向に相対移動することが望ましい。  
このような水切部材によれば、ねじを回動させることにより水切本体と移動当接部材とが互いに反対方向に相対移動するので、特別な工具を用いることなく容易に水切部材を取り付けることが可能である。
【００１４】
かかる水切部材であって、前記外壁と前記水切本体との間にはシーラントが介在されることが望ましい。  
このような水切部材によれば、外壁と水切本体との間に介在されたシーラントによっても、水切本体は外壁に保持されるので、水切部材をより安定させて固定させることが可能である。
【００１５】
また、前記水切部材と、前記サッシ枠とを有する建具である。  
このような建具によれば、外壁及びサッシ枠には何ら加工を施すことなく水切部材を容易に取り付けることが可能であり、操作部材を操作するだけ屋内側からでも容易に取り付けることが可能な水切部材を備えた建具を提供することが可能である。
【発明の効果】
【００１６】
本発明によれば、サッシ枠に容易に取り付け可能な水切部材、及び、この水切部材を備えた建具を提供することが可能である。
【発明を実施するための最良の形態】
【００１７】
以下、本発明の一実施形態に係る建具について、図１〜図６を参照して説明する。  
本実施の形態に係る建具１は、図１〜図６に示すように、開口を開閉可能な上げ下げ窓１０が有するサッシ枠１１の左右の縦枠１２、１３と下枠１４との接合部に、サッシ枠１１を伝う水を外壁３２から離れた位置に案内するための水切部材２０が設けられている。
【００１８】
以下の説明では、建具１を屋外側から見たときに上下となる方向を上下方向、左右となる方向を左右方向または見付け方向、屋内外方向である奥行き方向を見込み方向として示す。また、水切部材については、外壁３２とサッシ枠１１との間に取り付けられた状態にて、見込み方向については外壁３２側または屋外側とし、見付け方向についてはサッシ枠１１に対し外側又は中央側として示す。
【００１９】
上げ下げ窓１０は、上下方向に開閉される障子１６と障子１６が取り付けられるサッシ枠１１とを有している。
【００２０】
サッシ枠１１は、障子１６の上側に位置する上枠１５と、下側に位置する下枠１４と、左右に位置する縦枠１２、１３とが矩形状に接合されている。上枠１５、下枠１４、縦枠１２、１３はいずれもアルミニウム製の押出成形部材であり、上枠１５と下枠１４と縦枠１２、１３とは、ねじにて接合され矩形状をなしている。
【００２１】
下枠１４は、下端部が外壁３２より屋外側に位置するように突出されており、突出された先端の部位は、外壁３２側に向かって開放され当該外壁３２と対向する溝部１４ａが、長手方向の全域に設けられている。すなわち、下枠１４の先端の縁部は、鉛直方向に沿い外壁３２と平行な鉛直板部１４ｂと、鉛直板部１４ｂの下縁から外壁３２側に向かって延出された水平板部１４ｃとを有している。図４、図５に示すように、下枠１４の下端の見込み方向における突出量は、水平板部１４ｃの外壁３２側への延出量より大きく、延出された水平板部１４ｃの縁は外壁３２から離れている。
【００２２】
次に、水切部材２０について説明するが、水切部材２０はサッシ枠１１の左右の下端にそれぞれ設けられており、左右に設けられた水切部材２０は左右対称な形状をなしているので、ここでは、屋外側から見てサッシ枠１１の右下端に設けられる水切部材２０について説明し、左下端に設けられる水切部材２０の説明は省略する。
【００２３】
水切部材２０は、図２に示すように、サッシ枠１１を伝う水を外壁３２から離れた位置に案内するため案内部及び外壁３２に当接される壁当接部２２ｅを有する水切本体２２と、水切本体２２に対して相対移動可能に設けられ、サッシ枠１１に当接される枠当接部５２ａを有する移動当接部材５０と、水切本体２２を貫通して移動当接部材５０に係合され、操作されることにより水切本体２２と移動当接部材５０とを互いに反対方向に相対移動させて、壁当接部２２ｅを外壁３２に、枠当接部５２ａをサッシ枠１１にそれぞれ当接させるための操作部材としての取付ねじ２６とを有している。本実施形態では、取付ねじ２６として皿ねじを用いている。本実施形態では、操作部材として取付ねじ２６を用いたので、水切本体２２を貫通した取付ねじ２６は移動当接部材５０に螺合されており、取付ねじ２６に対する操作は取付ねじ２６を回動させる操作である。
【００２４】
水切本体２２は、縦枠１３の右側に配置される側方水切部２３と、下枠１４の下方に配置される下方水切部２４と、を有している。側方水切部２３、及び、下方水切部２４は一体に形成された樹脂製の成形部材である。
【００２５】
側方水切部２３は、縦枠１３に当接される縦枠側壁部２３ａと、縦枠側壁部２３ａの上端から繋がって形成されており、外壁３２側から屋外側に向かって順次高さが低くなる傾斜を有する側方案内面部２３ｂと、側方案内面部２３ｂと繋がって見込み方向屋外側にてほぼ鉛直方向に沿って形成された鉛直案内面部２３ｃと、側方案内面部２３ｂ及び鉛直案内面部２３ｃと繋がって見付け方向においてサッシ枠１１より外側に形成され、側方案内面部２３ｂより上方に、また、鉛直案内面部２３ｃよりも見込み方向においてサッシ枠１１より屋外側に突出された外側壁部２３ｄと、を有している。そして、水切部材２０が取り付けられた際には、側方案内面部２３ｂの傾斜面は、外壁３２よりも屋外側且つ下枠１４の下端より上方に位置し、縦枠側壁部２３ａが縦枠１３に当接され、外側壁部２３ｄが外壁３２と縦枠１３との間に設けられるシール材（不図示）より見付け方向において外側に位置するように形成されている。
【００２６】
下方水切部２４は、縦枠側壁部２３ａと繋がって側方水切部２３よりも見付け方向においてサッシ枠１１の中央側に形成されており、上面がほぼ水平面をなす下案内面部２４ａと、下案内面部２４ａの見込み方向における屋内側に設けられ、下案内面部２４ａと繋がって、下案内面部２４ａの屋内側の縁部からほぼ鉛直に形成された中継壁部２４ｂと、中継壁部２４ｂと繋がって中継壁部２４ｂの上縁からほぼ水平に形成された上面部２４ｃと、下案内面部２４ａ、中継壁部２４ｂ、上面部２４ｃ、鉛直案内面部２３ｃと繋がって見付け方向においてサッシ枠１１の中央側の壁部となる内側壁部２４ｅとを有している。すなわち、中継壁部２４ｂは、下案内面部２４ａと上面部２４ｃとの間を繋ぐように設けられている。
【００２７】
下案内面部２４ａは、見込み方向における屋外側の縁にて側方水切部２３の鉛直案内面部２３ｃと繋がっており、鉛直案内面部２３ｃの下端には屋外側に向かって下方に傾斜した傾斜部２３ｆが設けられている。ここで、側方案内面部２３ｂ、下案内面部２４ａ、鉛直案内面部２３ｃ、傾斜部２３ｆは案内部の一例である。
【００２８】
鉛直案内面部２３ｃにおける下案内面部２４ａの屋外側に位置する部位には、見付け方向におけるほぼ中央に、取付ねじ２６が貫通される貫通孔２３ｅが、屋外側に皿もみが施されて設けられている。すなわち、貫通孔２３ｅが設けられている鉛直案内面部２３ｃは水切本体２２の対面壁部の一例である。また、中継壁部２４ｂには、移動当接部材５０の後述する枠当接部５２ａを有する保持部５２が挿通される挿通孔２４ｄが形成されている。
【００２９】
水切本体２２は、外側壁部２３ｄと鉛直案内面部２３ｃと内側壁部２４ｅと繋がった底部２２ａを有し、外壁３２側が開放された中空状に形成され、外壁３２側の縁部が外壁３２に当接される壁当接部２２ｅとなる。水切本体２２内は、側方水切部２３側と下方水切部２４側とを分ける仕切り壁２２ｂにより２つの空間に分けられている。２つの空間のうち下方水切部２４側に設けられた空間は移動当接部材５０が収容される収容部２２ｃとなる。収容部２２ｃと屋外側の空間とは貫通孔２３ｅ及び挿通孔２４ｄにて連通されている。また、内側壁部２４ｅと仕切り壁２２ｂとには、それぞれ収容部２２ｃの内側に向かって突出され、水切部材２０が取り付けられた際に見込み方向に沿うように配置された、移動当接部材５０のガイド部２２ｄが設けられている。
【００３０】
収容部２２ｃ内に収容される移動当接部材５０は、収容された状態でほぼ水平な状態をなし挿通孔２４ｄに挿通されて水切部材２０を保持させるための保持部５２と、保持部５２の下方に間隔を隔てて対面するように配置された平板状の座部５４と、保持部５２と座部５４との外壁３２側の縁を連結するほぼ鉛直な連結壁５６とを有している。ここで、保持部５２の先端部がサッシ枠１１，具体的には下枠１４に当接する枠当接部５２ａとなる。移動当接部材５０は、金属製であり、本実施形態では、アルミニウム製の板材が断面Ｕ字状に折り曲げられて形成されている。
【００３１】
連結壁５６には、取付ねじ２６が螺合される被係合部としてのねじ穴５６ａと、水切本体２２の収容部２２ｃに突出されたガイド部２２ｄが入り込む凹部５６ｂが設けられている。すなわち、ねじ穴５６ａが設けられた連結壁５６は、移動当接部材５０の対面壁部の一例である。
【００３２】
移動当接部材５０は、連結壁５６側が外壁３２側に位置するように収容部２２ｃに収容されると、外壁３２と平行な断面において収容部２２ｃの内周と移動当接部材５０の外径とが僅かな間隙を有している。このため、収容部２２ｃの内周面は、凹部５６ｂに入り込むガイド部２２ｄとともに、移動当接部材５０が収容された姿勢を維持しつつ移動すべく移動当接部材５０を案内している。このとき、移動当接部材５０の連結壁５６と水切本体２２の鉛直案内面部２３ｃとは対面しており、鉛直案内面部２３ｃに設けられた貫通孔２３ｅを見込み方向に沿って貫通した取付ねじ２６が連結壁５６に設けられたねじ穴５６ａに螺合されている。そして、取付ねじ２６を操作してねじ穴５６ａに締め込むように回動させると連結壁５６と鉛直案内面部２３ｃとが近接する方向、すなわち互いに反対方向に相対移動し、挿通孔２４ｄから突出する保持部５２の突出量が大きくなる。
【００３３】
水切部材２０を取り付ける際には、先ず取付ねじ２６を緩めて保持部５２の突出量を小さくすることにより壁当接部２２ｅと枠当接部５２ａとの距離を、下枠１４の下端に設けられ外壁３２と対向する溝部１４ａの水平板部１４ｃの縁と外壁３２との間隔より小さくしておく。
【００３４】
保持部５２の突出量を小さくした水切部材２０の縦枠側壁部２３ａを縦枠１３に当接させるとともに、下枠１４の下にて水切部材２０の枠当接部５２ａが溝部１４ａに挿入される位置に配置して、取付ねじ２６を締まる方向に回動させる。このとき、取付ねじ２６が回動されることにより、連結壁５６と鉛直案内面部２３ｃとが近接する方向に移動し、壁当接部２２ｅが外壁３２に、枠当接部５２ａがサッシ枠１１の溝部１４ａにそれぞれ当接されるとともに、取付ねじ２６の頭部が貫通孔２３ｅの皿もみ部に当接される。さらに取付ねじ２６を回動させることにより、壁当接部２２ｅが外壁３２を押圧し、枠当接部５２ａがサッシ枠１１の溝部１４ａを押圧することにより、水切部材２０が外壁３２とサッシ枠１１との間にて保持される。
【００３５】
最後に、外壁３２と水切本体２２との間の空隙に図６に示すように接着性を有するシーラント１８を充填することにより、シーラント１８の接着力にて水切本体２２が固定され、水切部材２０が外壁３２により確実に保持される。
【００３６】
本実施形態の水切部材２０によれば、水切本体２２と移動当接部材５０とは、取付ねじ２６が操作されて締め込まれる方向に回動されることにより、水切本体２２の壁当接部２２ｅが外壁３２方向に、移動当接部材５０の枠当接部５２ａがサッシ枠１１方向にそれぞれ移動して当接される。すなわち、水切本体２２と移動当接部材５０とは壁当接部２２ｅと枠当接部５２ａとの距離が広がる方向に移動されて、外壁３２及び下枠１４の溝部１４ａに当接される。このため、取付ねじ２６がさらに回動されて壁当接部２２ｅと枠当接部５２ａとの距離がさらに広がることにより、外壁３２が壁当接部２２ｅに、また、下枠１４が枠当接部５２ａにそれぞれ押圧される押圧力が生じ、この押圧力により水切部材２０を外壁３２とサッシ枠１１との間に保持させることが可能である。このため、外壁３２及びサッシ枠１１には何ら加工を施すことなく水切部材２０を容易に取り付けることが可能である。
【００３７】
また、取付ねじ２６を回動するだけで水切部材２０が取り付けられるので、屋内側から取り付けることが可能であり、高層階のサッシ枠１１と外壁３２との間に取り付ける場合であっても足場を組むことなく容易に取り付けることが可能である。また、屋外側から見たときには取付ねじ２６は外壁３２の面内方向においてサッシ枠１１の外側に露出されており、また、サッシ枠１１の屋外側は開放されているので取付ねじ２６は操作がし易い。このため取付ねじ２６を容易に回動させて水切部材２０を容易に取り付けることが可能である。
【００３８】
また、水切本体２２の鉛直案内面部２３ｃより外壁３２側に配置された移動当接部材５０の連結壁５６のねじ穴５６ａに取付ねじ２６が螺合されているので、取付ねじ２６をねじが締まる方向に回動させることにより鉛直案内面部２３ｃと連結壁５６とを近接する方向に相対移動させて、水切本体２２を外壁３２側に、移動当接部材５０をサッシ枠１１側にそれぞれ移動させることが可能である。
【００３９】
また、取付ねじ２６を回動して移動当接部材５０が相対移動する際に枠当接部５２ａが当接されるサッシ枠１１の下端は溝部１４ａが設けられて剛性が高いので、壁当接部２２ｅにて外壁３２を、また、枠当接部５２ａにて下枠１４をそれぞれ大きな押圧力にて押圧させることが可能であり、水切部材２０を外壁３２と下枠１４との間により確実に保持させることが可能である。
【００４０】
さらに、外壁３２と水切本体２２との間には上部側にシーラント１８が充填されているので、シーラント１８によっても、水切部材２０を外壁３２に保持させ、より安定させて固定させることが可能である。
【００４１】
すなわち、外壁３２及びサッシ枠１１に何ら加工を施すことなく取り付けることが可能であり、取付ねじ２６を回動するだけ屋内側から容易に取り付けることが可能な水切部材２０を備えた建具１を提供することが可能である。
【００４２】
次に、水切部材の変形例について説明する。以下の説明において、上記実施形態と同様の部材には同じ符号を付して説明を省略する。
【００４３】
第１変形例の水切部材６０は、図７〜図９に示すように、サッシ枠１１の下方にて見付け方向においてサッシ枠１１の外側に突出させて設けられ、水切本体６１と移動当接部材６８と、取付ねじ２６を有している。
【００４４】
水切本体６１は、サッシ枠１１を伝わる水を案内する案内面部６２と、案内面部６２の屋外側の縁部と繋がった鉛直案内面部６３と、鉛直案内面部６３の下端と繋がった傾斜部６４と、案内面部６２、鉛直案内面部６３、傾斜部６４における見付け方向の両端に設けられた板状の側板部６５と、側板部６５及び案内面部６２と繋がって外壁３２に当接される壁当接部６６と、案内面部６２の案内凹部６２ａの縁から立設され壁当接部６６と繋がった縁壁部６７とを有している。
【００４５】
案内面部６２は、縦枠１３の側部を伝わる水を案内する部位と、下枠の下部を伝わる水を案内する部位とが１つの平面にて形成され、外壁３２側から屋外側に向かって順次高さが低くなる傾斜を有している。また、案内面部６２には、見付け方向における中央であって外壁３２側の部位に案内凹部６２ａが設けられている。
【００４６】
側板部６５は、見付け方向において案内面部６２の両端側に、案内面部６２の上面より高い位置まで形成されており、案内面部６２上の水が見付け方向に流れることなく鉛直案内面部６３及び傾斜部６４の上を流れて屋外側へ向かうように形成されている。第１変形例の水切部材６０では、案内面部６２、鉛直案内面部６３、傾斜部６４、側板部６５は案内部の一例である。
【００４７】
縁壁部６７は、案内面部６２に矩形状に形成された案内凹部６２ａの縁に沿って設けられており、水切部材６０が取り付けられた際に外壁３２と対面する対面壁部６７ａと、対面壁部６７ａとほぼ直交し、案内凹部６２ａ内を見込み方向に相対移動する移動当接部材６８をガイドするガイド壁６７ｂと、を有している。対面壁部６７ａには貫通孔６７ｃが設けられている。
【００４８】
案内凹部６２ａを挟むように案内凹部６２ａの見付け方向両側に設けられたガイド壁６７ｂの外壁３２側の縁と側板部６５の外壁側の縁とが繋がった部位が、外壁に当接される壁当接部６６をなしている。
【００４９】
移動当接部材６８は、上述した実施形態の移動当接部材５０とほぼ同形状をなし、アルミニウム製の板材が断面Ｕ字状に折り曲げられて形成されている。すなわち、水平な状態に配置されて枠当接部６８ｂを有する保持部６８ａと、保持部６８ａの下方に間隔を隔てて対面するように配置された座部６８ｃと、保持部６８ａと座部６８ｃとの縁を連結するほぼ鉛直な対面壁部としての連結壁６８ｄとを有している。また、連結壁６８ｄには、操作部材としての取付ねじ２６が螺合される被係合部としてのねじ穴６８ｅが設けられている。
【００５０】
水切部材６０は、移動当接部材６８の保持部６８ａと座部６８ｃとの間に水切本体６１の対面壁部６７ａが位置するように、対面壁部６７ａと連結壁６８ｄとを対面させて配置し、貫通孔６７ｃを貫通させた取付ねじ２６をねじ穴６８ｅに螺合させて構成されている。そして、取付ねじ２６を操作してねじ穴５６ａに締め込むように回動させると連結壁６８ｄと対面壁部６７ａとが近接する方向、すなわち互いに反対方向に相対移動する。このとき、移動当接部材６８は、ガイド壁６７ｂにガイドされつつ屋外側に移動し、保持部６８ａが対面壁部６７ａより屋外側に突出する突出量が大きくなる。
【００５１】
水切部材６０を取り付ける際には、保持部６８ａの突出量を小さくした水切部材６０を、下枠１４の下にて枠当接部６８ｂが溝部１４ａに挿入される位置に配置して、取付ねじ２６を締まる方向に回動させることにより、水切部材６０が外壁３２と下枠１４との間に保持される。
【００５２】
第２変形例の水切部材７０は、縦枠１３を伝う水を外壁３２から離れた位置に案内するための部材であり、図１０、図１１に示すように、水切本体７１と移動当接部材７８と、取付ねじ２６とを有している。
【００５３】
水切本体７１は、縦枠１３を伝わる水を案内する案内面部７２と、案内面部７２の屋外側の縁部と繋がった鉛直案内面部７３と、鉛直案内面部７３の下端と繋がった傾斜部７４と、案内面部７２、鉛直案内面部７３、傾斜部７４における見付け方向の両端に設けられた板状の側板部７５と、水切部材７０が取り付けられた際に、見付け方向においてサッシ枠１１の中央側の側板部７５からさらに中央側に形成された延出部７７とを有している。
【００５４】
案内面部７２は、外壁３２側から屋外側に向かって順次高さが低くなる傾斜を有し、縦枠１３の側部を伝わる水を案内する。
【００５５】
側板部７５は、見付け方向において案内面部７２の両端側に、案内面部７２の上面より高い位置まで形成されており、案内面部７２上の水が見付け方向に流れることなく鉛直案内面部７３及び傾斜部７４の上を流れて屋外側へ向かうように形成されている。第２変形例の水切部材７０では、案内面部７２、鉛直案内面部７３、傾斜部７４、側板部７５が案内部の一例であり、また、対面壁部の一例である鉛直案内面部７３に貫通孔７３ａが形成されている。
【００５６】
延出部７７は、見込み方向における外壁３２側のほぼ半分の領域であって、側板部７５の下部から中央側に延出されており、内部には水切本体７１の側板部７５の反対側の部位と繋がった空間が形成されている。延出部７７の屋外側の面には、移動当接部材７８の枠当接部７８ｂを有する保持部７８ａが挿通される挿通孔７７ａが形成されている。水切本体７１の内部の空間は、移動当接部材７８が収容される収容部７１ａとなる。そして、収容部７１ａの開放側となる外壁側の縁部が壁当接部７１ｂとなる。
【００５７】
収容部７１ａ内に収容される移動当接部材７８は、収容された状態で鉛直案内面部７３と対面し、被係合部としてのねじ穴７８ｅが形成された対面壁部７８ｃと、移動当接部材７８の下端と繋がってほぼ水平をなす座部７８ｄとを有し、アルミニウム製の板材が折り曲げられて形成されている。見付け方向における座部７８ｄの幅は、対面壁部７８ｃの幅より十分に広く、見付け方向において対面壁部７８ｃより中央側に延出されている。そして、移動当接部材７８の対面壁部７８ｃと座部７８ｄの対面壁部７８ｃの部位が水切本体７１の収容部７１ａにおける側板部７５間の領域に収容され、座部７８ｄの中央側の部位が延出部７７内の領域に収容される枠当接部７８ｂを有する保持部７８ａとなる。
【００５８】
移動当接部材７８は、収容部７１ａに収容され、鉛直案内面部７３に設けられた貫通孔７３ａを貫通した操作部材としての取付ねじ２６が対面壁部７８ｃに設けられたねじ穴７８ｅに螺合されている。そして、取付ねじ２６を操作してねじ穴７８ｅに締め込むように回動させると鉛直案内面部７３と対面壁部７８ｃとが近接する方向、すなわち互いに反対方向に相対移動し、挿通孔７７ａから突出する保持部７８ａの突出量が大きくなる。
【００５９】
水切部材７０を取り付ける際には、保持部７８ａの突出量を小さくした水切部材７０を、下枠１４の下方にて枠当接部７８ｂが溝部１４ａに挿入される位置に配置して、取付ねじ２６を締まる方向に回動させることにより、水切部材７０が外壁３２と下枠１４との間に保持される。
【００６０】
第２変形例の水切部材７０は、縦枠１３の側部を伝う水を案内する形態としたが、延出部７７に設けられた挿通孔７７ａより下側の部位を屋外側に延ばし、例えば傾斜部７４と繋がった平面を下案内部として形成すると、下枠１４を伝う水も外壁３２から離れた位置に案内することが可能である。
【００６１】
上記実施形態においては、下枠１４と外壁３２との間に取り付けられる水切部材２０、６０、７０の枠当接部が、下枠１４の溝部１４ａに挿入される例について説明したが、これに限るものではない。例えば、下枠１４側に溝部が無くとも、取付ねじ２６を回動することにより下枠１４と外壁３２との間にて水切部材２０、６０、７０が保持できれば下枠の形状はいずれの形状でも構わない。
【００６２】
第３変形例の水切部材８０も、第２変形例の水切部材７０と同様に縦枠１３の側部を伝う水を案内する水切部材であるが、第３変形例の水切部材８０は縦枠１３と外壁３２との間に取り付けられる。
【００６３】
第３変形例の水切部材８０は、図１２〜図１４に示すように、水切本体８１と移動当接部材８８と、取付ねじ２６とを有している。
【００６４】
水切本体８１は、第２変形例の水切部材７０と同様に案内面部８２と、貫通孔８３ａが設けられ対面壁部としての鉛直案内面部８３と、傾斜部８４と、側板部８５とを有し、内部は移動当接部材８８が収容される収容部８１ａが形成され、収容部８１ａの開放側となる外壁３２側の縁部が壁当接部８１ｂとなる。
【００６５】
第３変形例の水切部材８０における側板部８５は、見付け方向においてサッシ枠１１の中央側となる側板部８５に、収容部８１ａに収容された移動当接部材８８の枠当接部８８ｂを有する保持部８８ａが突出される切り欠き部８５ａが設けられ、切り欠き部８５ａの内側に側板部８５とほぼ平行なガイド壁８５ｂが設けられている。
【００６６】
収容部８１ａ内に収容される移動当接部材８８は、収容された状態でほぼ鉛直な状態をなし、見付け方向においてサッシ枠１１の外側に位置する側板部８５の内面と対向する内面対向部８８ｃと、内面対向部８８ｃと間隔を隔てて対面するように配置され切り欠き部８５ａから突出される保持部８８ａと、内面対向部８８ｃと保持部８８ａとの外壁３２側の縁を連結するほぼ鉛直な対面壁部としての連結壁８８ｄとを有している。移動当接部材５０は、アルミニウム製の板材が、断面がほぼＵ字状になるように折り曲げられて形成されている。
【００６７】
連結壁８８ｄには、操作部材としての取付ねじ２６が螺合される被係合部としてのねじ穴８８ｅが設けられている。また、保持部８８ａは連結壁８８ｄ側の部位８８ｆは内面対向部８８ｃとほぼ平行に形成され、先端側の部位８８ｇは先端側に向かって縦枠１３側に傾斜するように形成されている。このため、移動当接部材８８が収容部８１ａに収容されると、保持部８８ａの連結壁８８ｄ側の部位８８ｆは切り欠き部８５ａに入り込み、先端側の部位８８ｇが水切本体８１の側方に突出して、その先端の枠当接部８８ｂが縦枠１３の縁部１３ａに当接される。
【００６８】
水切部材８０は、鉛直案内面部８３に設けられた貫通孔８３ａを貫通した取付ねじ２６が連結壁８８ｄに設けられたねじ穴８８ｅに螺合されている。このとき、移動当接部材８８は、連結壁８８ｄ側が外壁３２側に位置するように収容部８１ａに収容されている。そして、取付ねじ２６を操作してねじ穴８８ｅに締め込むように回動させると連結壁８８ｄと鉛直案内面部８３とが近接する方向、すなわち互いに反対方向に相対移動する。このとき、内面対向部８８ｃが側板部８５に、保持部８８ａの連結壁８８ｄ側の部位８８ｆがガイド壁８５ｂにガイドされつつ移動し、壁当接部８１ｂと枠当接部８８ｂとの間隔が広がる。
【００６９】
水切部材８０を取り付ける際には、保持部８８ａの突出量を小さくした水切部材８０を、縦枠１３の側方にて枠当接部８８ｂが縦枠１３の縁部１３ａと外壁３２との間となる位置に配置して、取付ねじ２６を締まる方向に回動させることにより、水切部材８０が外壁３２と縦枠１３との間に保持される。
【００７０】
第３変形例の水切部材８０は、縦枠１３の外壁３２平行な部位と外壁との間にて保持する例について説明したが、上記下枠１４と外壁３２との間に取り付ける際のように、縦枠１３の端部が溝状に形成されていても構わない。
【００７１】
上記実施形態においては、操作部材を皿ねじとしたがこれに限るものではない。例えば、ねじ溝が形成されたねじ部と、貫通孔の内径より大きな外径を有する頭部を有する各種ねじでも構わない。また、例えば、ねじ溝が形成されたねじ部と、このねじ部を回動させるために作業者が把持する把持部とが一体となった操作部材でも構わない。さらに、操作部材はねじに限らず、その他の係合機構を有する部材であっても良い。例えば、移動当接部材の連結壁には、被係合部として矩形状の係合孔が設けられており、係合孔に角材状の操作部材が挿通されて係合される形態でも良い。より具体的には、係合孔の上面に、外壁側に向かって降下する傾斜面と、この傾斜面の外壁側の縁と繋がった鉛直面とを有する突部が垂設されており、操作部材の上面には、挿入方向に向かって降下する傾斜面と、この傾斜面の屋外側の縁と繋がった鉛直面とを有する突部が複数挿入方向に沿って並べて立設されている。そして、操作部材を係合孔に挿入すべく操作すると、傾斜面同士が接触したのち、操作部材側の突部が係合孔側の突部を乗り越えるとともに、操作部材を引き戻した際には鉛直面同士が当接されて操作部材が抜けないように係合される構成でもよい。
【００７２】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００７３】
【図１】本実施形態に係る建具の外観図である。
【図２】本実施形態に係る水切部材の構成を説明する斜視図である。
【図３】図２におけるＡ矢視図である。
【図４】水切部材の取付方法を説明するための縦断面図である。
【図５】水切部材の取付方法を説明するための斜視図である。
【図６】外壁と水切部材との間に充填されるシーラントを説明するための図である。
【図７】第１変形例に係る水切部材の構成を説明する斜視図である。
【図８】第１変形例に係る水切部材の取付方法を説明するための斜視図である。
【図９】第１変形例に係る水切部材の取付方法を説明するための縦断面図である。
【図１０】第２変形例に係る水切部材の構成を説明する斜視図である。
【図１１】第２変形例に係る水切部材の取付方法を説明するための斜視図である。
【図１２】第３変形例に係る水切部材の構成を説明する斜視図である。
【図１３】第３変形例に係る水切部材が取り付けられた状態を説明するための斜視図である。
【図１４】第３変形例に係る水切部材の取付方法を説明するための水平断面図である。
【符号の説明】
【００７４】
１  建具、１１  サッシ枠、１３  縦枠、１４  下枠、１４ａ  溝部、
１８  シーラント、２０  水切部材、２２  水切本体、２２ｅ  壁当接部、
２３  側方水切部、２３ｂ  側方案内面部、２３ｃ  鉛直案内面部、２３ｅ  貫通孔、
２４  下方水切部、２４ａ  下案内面部、２４ｄ  挿通孔、２６  取付ねじ、
３２  外壁、５０  移動当接部材、５２  保持部、５２ａ  枠当接部、５６ａ  ねじ穴、
６０  水切部材、６１  水切本体、６２  案内面部、６３  鉛直案内面部、
６６  壁当接部、６７ａ  対面壁部、６７ｃ  貫通孔、６８  移動当接部材、
６８ａ  保持部、６８ｂ  枠当接部、６８ｅ  ねじ穴、７０  水切部材、
７１  水切本体、７１ｂ  壁当接部、７２  案内面部、７３  鉛直案内面部、
７３ａ  貫通孔、７７ａ  挿通孔、７８  移動当接部材、７８ａ  保持部、
７８ｂ  枠当接部、７８ｅ  ねじ穴、８０  水切部材、８１  水切本体、
８１ｂ  壁当接部、８２  案内面部、８３  鉛直案内面部、８３ａ  貫通孔、
８８  移動当接部材、８８ａ  保持部、８８ｂ  枠当接部、８８ｃ  連結壁、
８８ｄ  連結壁、８８ｅ  ねじ穴
【図１】
0004890420.tif 000002
【図２】
0004890420.tif 000003
【図３】
0004890420.tif 000004
【図４】
0004890420.tif 000005
【図５】
0004890420.tif 000006
【図６】
0004890420.tif 000007
【図７】
0004890420.tif 000008
【図８】
0004890420.tif 000009
【図９】
0004890420.tif 000010
【図１０】
0004890420.tif 000011
【図１１】
0004890420.tif 000012
【図１２】
0004890420.tif 000013
【図１３】
0004890420.tif 000014
【図１４】
0004890420.tif 000015